(57)【要約】【課題】クレーン等の大型搬送機を必要とすることなく、杭回転圧入機を定規部材とともに現地盤上で所望方向に簡単に方向転換させることができる杭回転圧入機の方向転換方法及びその方法を利用した杭回転圧入機再設置方法を提供する。【解決手段】台枠１と、昇降駆動装置２と、装置２により台枠１に対し昇降可能な昇降枠３と、昇降枠３に搭載された回転駆動装置４と、装置４により昇降枠３に対し回転駆動可能な杭掴持機構５を含む杭回転圧入機１０の方向転換方法であり、支持柱８を建て込み、昇降枠３を台枠１から引き上げ、支持柱８を支えとして台枠１を定規部材６ごと引き上げ、回転駆動装置４で昇降枠３を相対的に回すことで杭回転圧入機１０を方向転換する。方向転換させた杭回転圧入機１０を定規部材６を利用して移動させて再設置する。【選択図】図１
2014177798.tif 000002
【特許請求の範囲】
【請求項１】
台枠と、昇降駆動装置と、前記昇降駆動装置により前記台枠に対し昇降駆動可能な昇降枠と、前記昇降枠に搭載された回転駆動装置と、前記回転駆動装置により前記昇降枠に対し回転駆動可能な杭掴持機構を含み、前記台枠を杭埋設対象地盤上に設置される定規部材上に設置して、前記杭掴持機構に通して上下方向に建て込んだ埋設対象杭を前記杭掴持機構で掴持して該杭掴持機構を前記回転駆動装置で回しつつ前記昇降駆動装置による前記昇降枠の上下方向駆動により該杭を前記地盤に圧入できる杭回転圧入機を該杭回転圧入機が前記定規部材を介して現地盤上に設置された状態から方向転換させる杭回転圧入機の方向転換方法であり、
前記杭回転圧入機を前記定規部材ごと昇降させられるように該定規部材を前記台枠に仮連結する台枠仮連結工程と、
前記杭掴持機構下方の前記現地盤部分に前記杭回転圧入機の支持手段を設置する支持手段設置工程と、
前記昇降枠を前記昇降駆動装置で前記杭掴持機構ごと前記台枠に対し引き上げ上昇させ、前記支持手段設置工程で設置された前記支持手段を該杭掴持機構に掴時させ、次いで該支持手段を支えとして前記昇降駆動装置で前記台枠を前記台枠仮連結工程で連結された前記定規部材ごと前記現地盤から引き上げ上昇させる台枠引き上げ工程と、
前記台枠引き上げ工程で前記台枠が前記現地盤から引き上げられた状態で、前記支持手段を掴持している前記杭掴持機構に対して前記回転駆動装置で前記昇降枠を相対的に回すことで前記杭回転圧入機を予め定めた方向へ回して方向転換する方向転換工程と、
前記方向転換工程後に、前記台枠を前記昇降駆動装置により前記定規部材ごと前記昇降枠に対して下降させ、該定規部材を介して前記現地盤上に設置する台枠再設置工程と
を含むことを特徴とする杭回転圧入機の方向転換方法。
【請求項２】
前記支持手段は、前記杭掴持機構に通して建て込まれる支持柱と、前記支持柱を下方から支持する支持体を含んでいる請求項１記載の杭回転圧入機の方向転換方法。
【請求項３】
前記支持体は前記現地盤部分上に敷かれる板状部材と、前記板状部材に設けられた、前記支持柱を保持する支持柱保持装置を含んでいる請求項２記載の杭回転圧入機の方向転換方法。
【請求項４】
前記支持手段は、前記杭回転圧入機により前記現地地盤に圧入埋設される埋設対象杭を予め定めた深度まで圧入埋設するために該埋設対象杭の頭部に取り外し可能に継ぎ足される補助部材であり、該補助部材を用いて前記埋設対象杭を予め定めた深度まで圧入埋設する工程が前記支持手段設置工程を兼ねている請求項１記載の杭回転圧入機の方向転換方法。
【請求項５】
前記支持手段は前記杭回転圧入機により前記現地地盤に既に圧入埋設されている埋設対象杭の頭部であり、該杭回転圧入機による該埋設対象杭の圧入埋設工程が前記支持手段設置工程を兼ねている請求項１記載の杭回転圧入機の方向転換方法。
【請求項６】
台枠と、昇降駆動装置と、前記昇降駆動装置により前記台枠に対し昇降駆動可能な昇降枠と、前記昇降枠に搭載された回転駆動装置と、前記回転駆動装置により前記昇降枠に対し回転駆動可能な杭掴持機構を含み、前記台枠を杭埋設対象地盤上に設置される定規部材上に設置して、前記杭掴持機構に通して上下方向に建て込んだ埋設対象杭を前記杭掴持機構で掴持して該杭掴持機構を前記回転駆動装置で回しつつ前記昇降駆動装置による前記昇降枠の上下方向駆動により該杭を前記地盤に圧入できる杭回転圧入機を該杭回転圧入機が前記定規部材を介して現地盤である第１地盤上に設置された状態から予め定めた次の第２地盤上へ移動させて該第２地盤上に設置する杭回転圧入機再設置方法であって、
前記定規部材を介して前記第１地盤上に設置された前記杭回転圧入機を前記第２地盤上へ移動させるに先だって請求項１から５のいずれか１項に記載の杭回転圧入機の方向転換方法により該杭回転圧入機を前記第２地盤への移動に適する方向へ方向転換させる第１の方向転換工程と、
前記第１方向転換工程により方向転換させられた前記杭回転圧入機から前記定規部材の仮連結を解く工程と、
前記定規部材に続けて前記第２地盤へ向けレール部材を設置する工程と、
前記レール部材に続けて前記第２地盤に第２の定規部材を設置する工程と、
前記回転圧入機を前記定規部材から前記レール部材に沿って前記第２地盤へ向け移動させる工程と、
前記回転圧入機を前記レール部材から前記第２の定規部材上へ移動させて該第２地盤上に置く工程を含むことを特徴とする杭回転圧入機再設置方法。
【請求項７】
前記第１地盤と前記第２地盤の間に間隔をおいて隣り合う既設構造物があり、前記隣り合う前記既設構造物間の距離が、前記第１の方向転換工程前に前記第１地盤に設置された前記杭回転圧入機及び該杭回転圧入機に仮連結された前記定規部材を合わせたものの前記既設構造物の順次並び方向と同方向の長さより短く、該既設構造物の順次並び方向を横切る方向の長さより長い場合における請求項６記載の杭回転圧入機再設置方法。
【発明の詳細な説明】
【技術分野】
【０００１】
本発明は構造物の構築に先だって実施される基礎杭の地中埋設工事等において用いられ杭回転圧入機の方向転換方法に関し、また、該杭回転圧入機の方向転換方法を利用した杭回転圧入機の再設置方法に関する。
【背景技術】
【０００２】
地中に基礎杭等の杭を埋設する杭埋設機械として図１２に示すタイプの杭回転圧入機が知られている。図１２（Ａ）は杭回転圧入機の正面図であり、図１２（Ｂ）は杭回転圧入機の側面図であり、図１２（Ｃ）は杭回転圧入機の平面図である。
【０００３】
図１２に例示する杭回転圧入機１０は、台枠１と、昇降駆動装置２と、昇降駆動装置２により台枠１に対し昇降駆動可能な昇降枠３と、昇降枠３に搭載された回転駆動装置４と、回転駆動装置４により昇降枠３に対し回転駆動可能な杭掴持機構５を含んでいる。
台枠１は杭回転圧入機１０の位置調整のために後述する定規部材６に沿って杭回転圧入機１０を移動させるための車輪１１を有している。
【０００４】
昇降駆動装置２は４本の油圧ピストンシリンダ装置２１からなっている。それらピストンシリンダ装置２１は、シリンダ部分が平面視四角形状の昇降枠３の４隅部分に立設されるとともにピストンロッドが台枠１に接続されている。昇降駆動装置２によると、図示省略の油圧装置でピストンロッドをシリンダ部分から突出させることで昇降枠３を台枠１に対して上昇させることができ、ピストンロッドをシリンダ部分へ後退させることで昇降枠３を台枠１へ下降させることができる。
【０００５】
回転駆動装置４は昇降枠３に回転可能に搭載されたリングギア４１、これに噛み合うピニオンギア４２及びギア４２を回転駆動する油圧回転モータ４３を含んでいる。
【０００６】
杭掴持機構５は油圧ピストンシリンダ装置５２で開閉駆動して、杭を掴持したり、離したりできるチャック部５１を含むものである。杭掴持機構５はリングギア４１に取り付けられていて、リングギア４１が回されることで回転駆動される。
【０００７】
このような杭回転圧入機は例えば特許第２５１９８５１号公報に記載されている。
【０００８】
この杭回転圧入機１０は自走装置と組み合わせて自走式杭回転圧入機に改造することは可能であるが、その様に改造すると、機械全体が大型化し、重量も増すので、狭い工事現場での扱いが難しくなったり、狭い工事現場への搬入自体ができなくなったりすることがある。
【０００９】
そのため、狭い現場での杭埋設工事にあたっては、杭回転圧入機１０は、クレーンで吊り上げる等して、杭埋設対象地盤１００上に定規部材６を介して設置される。この杭回転圧入機１０の設置においては、必要に応じ、杭回転圧入機１０を定規部材６に沿って移動させて位置調整することができる。
【００１０】
このように設置された杭回転圧入機１０の杭掴持機構５に、下端部に地盤掘削ヘッドＨを設けた最初の既成杭Ｐ（Ｐ１）をクレーンで吊る等して建て込み、杭掴持機構５にこの杭を掴持させ、杭掴持機構５を回転駆動装置４で回しつつ昇降駆動装置２による昇降枠３の下降により該杭Ｐを地盤１００に圧入できる。なお、昇降枠３はこの杭掴持及び杭回転圧入に先だって図１２（Ａ）に鎖線で示すように上昇させておく。
【００１１】
さらに、必要に応じ、そのように一部埋設された杭Ｐの杭掴持機構５による掴持を解き、昇降駆動装置２により昇降枠３を上昇させ、再び杭掴持機構５に杭Ｐを掴持させ、杭掴持機構５を回転駆動装置４で回しつつ昇降駆動装置２による昇降枠３の下降により杭Ｐをさらに地盤１００に圧入できる。
【００１２】
このような杭回転圧入操作を必要回数くり返すことで杭Ｐを地盤１００に所望深さ埋設することができ、必要に応じ、さらに、１又は２本以上の杭を先に埋設された杭に順次接続して、同様の回転圧入操作の繰り返しにより所定本数の杭を地盤に埋設することができる。
【００１３】
埋設対象杭本数が１本であれ、複数本であれ、最後の杭につては、後述する図１０に例示するように、その最後の杭に取り外し可能に補助部材９を接続し、その補助部材９を介して杭を圧入し、その後、補助部材９を回収することができる。
【００１４】
また、杭埋設を円滑に行なうために、図１２（Ａ）に例示するように、掘削液を掘削ヘッドＨへ供給する送液シャフトＳＦを杭Ｐの内部空間に配置し、必要に応じてこれを継ぎ足し、送液用スイベル装置ＳＷを送液シャフトＳＦに接続し、該スイベル装置ＳＷを介して送液シャフトＳＦから掘削液を供給しつつ杭を埋設することもできる。
【００１５】
いずれにしても、上記杭回転圧入機によると、杭を継ぎ足しつつ、全体として所定長さの杭を地盤に埋設することができるので、１本の杭の長さを短くでき、該杭を前記のようにクレーン等で吊る等して杭掴持機構に建て込むときに要求される地盤上方の作業空間が、例えば高架橋下等のように、既設構造物等のために狭められている場合でも、杭埋設作業を実施できる利点がある。
【先行技術文献】
【特許文献】
【００１６】
【特許文献１】特許第２５１９８５１号公報
【発明の概要】
【発明が解決しようとする課題】
【００１７】
ところが、上記杭回転圧入機は、方向転換が要求される場合がある。定規部材もそれに合わせて方向転換が要求される場合がある。例えば、次の杭埋設対象地盤へ向け回転圧入機を移動させるにあたり、方向転換が要求される場合がある。
【００１８】
回転圧入機は、通常、平面から見ると概ね四角形状を呈しているが、図１３に例示するように、定規部材６に沿った位置調整移動時の安定化のために、定規部材６が延びている方向Ｘと同方向の長さαが、定規部材６が延びている方向Ｘを横切る方向Ｙの長さβより長い。図１３に示すように定規部材６は長さαよりさらに長い場合（α’>α）がある。
【００１９】
このような回転圧入機１０を現在設置されている地盤（第１地盤）１０１から予め定めた次の第２地盤１０２へ移動させようとする場合において、それら両地盤の間に間隔をおいて隣り合う、例えば既設構造物（例えば柱構造物）ＳＴがあり、隣り合う構造物ＳＴ間の距離Ｌが、第１地盤１０１に設置された杭回転圧入機１０の該構造物の順次並び方向と同方向の長さ（図１３における前記Ｘ方向の長さα）より短く、該構造物の順次並び方向を横切る方向の長さβより長い場合には、回転圧入機１０を方向転換させて、該隣り合う既設柱構造物間を通過できるようにしなければならない。
【００２０】
図１３の例の場合、地盤１０１に最初に杭回転圧入機１０を設置するときには、杭回転圧入機１０を、それを吊り上げ、或いは持ち上げることができるほどの大型のクレーン等の搬送機を用いて設置できたとしても、杭回転圧入機１０を次の地盤１０２へ移動させ、そこに設置するにあたって、同様の搬送機で杭回転圧入機１０を吊り上げ、或いは持ち上げて方向転換させ、さらに狭い柱構造物ＳＴ間に通して地盤１０２へ移動させるには、該搬送機が大きすぎて、そのような作業ができないことがある。
【００２１】
そこで本発明は、台枠と、前記台枠に搭載された昇降駆動装置と、前記昇降駆動装置により前記台枠に対し昇降駆動可能な昇降枠と、前記昇降枠に搭載された回転駆動装置と、前記回転駆動装置により前記昇降枠に対し回転駆動可能な杭掴持機構を含み、前記台枠を杭埋設対象地盤上に設置される定規部材上に設置して、前記杭掴持機構に通して上下方向に建て込んだ埋設対象杭を前記杭掴持機構で掴持して該杭掴持機構を前記回転駆動装置で回しつつ前記昇降駆動装置による前記昇降枠の上下方向駆動により該杭を前記地盤に圧入できる杭回転圧入機を該杭回転圧入機が前記定規部材を介して現地盤上に設置された状態から方向転換させる杭回転圧入機の方向転換方法であって、クレーン等の大型搬送機を必要とすることなく、杭回転圧入機を現地盤上で所望方向に、且つ、前記定規部材を利用して該所望方向にある地盤へ向け移動させ得るように、簡単に方向転換させることができる杭回転圧入機の方向転換方法を提供することを第１の課題とする。
【００２２】
、
また本発明は、前記杭回転圧入機を前記現地盤である第１地盤上に設置された状態から予め定めた次の第２地盤上へ移動させて該第２地盤上に設置する杭回転圧入機再設置方法であって、該杭回転圧入機を前記第２地盤への移動に適する方向へ簡単に方向転換させて該第２地盤上に設置することができる杭回転圧入機再設置方法を提供することを第２の課題とする。
【課題を解決するための手段】
【００２３】
本発明は第１の課題を解決するため、
台枠と、昇降駆動装置と、前記昇降駆動装置により前記台枠に対し昇降駆動可能な昇降枠と、前記昇降枠に搭載された回転駆動装置と、前記回転駆動装置により前記昇降枠に対し回転駆動可能な杭掴持機構を含み、前記台枠を杭埋設対象地盤上に設置される定規部材上に設置して、前記杭掴持機構に通して上下方向に建て込んだ埋設対象杭を前記杭掴持機構で掴持して該杭掴持機構を前記回転駆動装置で回しつつ前記昇降駆動装置による前記昇降枠の上下方向駆動により該杭を前記地盤に圧入できる杭回転圧入機を該杭回転圧入機が前記定規部材を介して現地盤上に設置された状態から方向転換させる杭回転圧入機の方向転換方法であり、
前記杭回転圧入機を前記定規部材ごと昇降させられるように該定規部材を前記台枠に仮連結する台枠仮連結工程と、
前記杭掴持機構下方の前記現地盤部分に前記杭回転圧入機の支持手段を設置する支持手段設置工程と、
前記昇降枠を前記昇降駆動装置で前記杭掴持機構ごと前記台枠に対し引き上げ上昇させ、前記支持手段設置工程で設置された前記支持手段を該杭掴持機構に掴時させ、次いで該支持手段を支えとして前記昇降駆動装置で前記台枠を前記台枠仮連結工程で連結された前記定規部材ごと前記現地盤から引き上げ上昇させる台枠引き上げ工程と、
前記台枠引き上げ工程で前記台枠が前記現地盤から引き上げられた状態で、前記支持手段を掴持している前記杭掴持機構に対して前記回転駆動装置で前記昇降枠を相対的に回すことで前記杭回転圧入機を予め定めた方向へ回して方向転換する方向転換工程と、
前記方向転換工程後に、前記台枠を前記昇降駆動装置により前記定規部材ごと前記昇降枠に対して下降させ、該定規部材を介して前記現地盤上に設置する台枠再設置工程と
を含む杭回転圧入機の方向転換方法を提供する。
【００２４】
ここで「地盤」には、空中に露出している地盤だけでなく、水面下にある地盤なども含まれる。「現地盤」とは、回転圧入機が現に設置されている地盤である。「定規部材を介して現地盤上に設置された回転圧入機」には、例えば地盤が水面下にあるため、定規部材及び回転圧入機が適当な架台等を介して該地盤に設置されている場合なども含まれる。
「定規部材」とは、その上に回転圧入機を搭載し、該定規部材に沿って移動させて、回転圧入機位置を調整できるものであり、レール部材とも言えるものである。
【００２５】
前記定規部材を前記台枠に仮連結する台枠仮連結工程における「定規部材の前記台枠への仮連結」とは、定規部材を台枠への連結から解放して定規部材として用いることができるように該定規部材を該台枠に連結することであり、その様に連結できるのであれば、様々な連結手段や連結方法を採用できる。
【００２６】
本発明に係る杭回転圧入機の方向転換方法によると、クレーン等の大型搬送機を必要とすることなく、杭回転圧入機を定規部材とともに現地盤上で所望方向に簡単に方向転換させることができる。
【００２７】
また、方向転換させた杭回転圧入機から定規部材の仮連結をとき、例えば、該定規部材に続けて前記所望方向にある第２の地盤へ向けレール部材を設置し、回転圧入機を前記定規部材から前記レール部材に沿って該第２地盤上へ向け移動させることができる。このように、クレーン等の大型搬送機を必要とすることなく、杭回転圧入機を定規部材を利用して所望方向にある地盤へ向け移動可能に方向転換させることができる。
【００２８】
前記支持手段設置工程の実施に用いる、前記杭回転圧入機の「支持手段」としては、例えば、前記杭掴持機構に通して建て込まれる支持柱と、該支持柱を下方から支持する支持体を含んでいるものを挙げることができる。
【００２９】
そのような支持柱は、例えば埋設対象杭と同様の断面形状の、支持柱として機能できる高さの部材を挙げることができる。支持柱は分割形成された部材を組み合わせて（例えば順次接続して）形成されるものでもよい。
【００３０】
支持柱を下方から支持する前記支持体は、例えば杭回転圧入機で既に圧入埋設した杭の頭部を利用するものであってもよい。例えば、既設杭頭部と、これに支持柱下端部を分離可能に接続する、万力機構、嵌合機構、かみ合わせ機構、ボルト接続機構等を利用する接続具を含むものでもよい。
【００３１】
支持柱を下方から支持する前記支持体は、既設杭とは別に準備されたものでもよい。その様な支持体として、前記現地盤部分上に敷かれる板状部材と、前記板状部材に設けられた、前記支持柱を保持する支持柱保持装置を含んでいるものを例示できる。
支持柱保持装置としては、万力機構、嵌合機構、かみ合わせ機構、ボルト接続機構等を利用するものを例示できる。
【００３２】
前記支持体が前記現地盤部分上に敷かれる板状部材と、前記支持柱保持装置を含んでいるものである場合、該支持体は、該支持柱保持装置で保持される支持柱を鉛直姿勢に保つように調整する姿勢調整機構を含んでいてもよい。
【００３３】
そのような姿勢調整機構は、支持柱保持装置に含まれていてもよい。
また、例えば、支持柱保持装置は支持柱を前記板状部材面に垂直に立設できるように構成にしておいて、姿勢調整機構は該板状部材を水平姿勢に調整できるレべリング機構（水平だし機構）としてもよい。
【００３４】
前記支持手段設置工程の実施に用いる前記「支持手段」は、前記杭回転圧入機により前記現地地盤に圧入埋設される埋設対象杭を予め定めた深度まで圧入埋設するために該埋設対象杭の頭部に取り外し可能に継ぎ足される補助部材（杭施工現場で「ヤットコ」と通称されている部材）であってもよい。
【００３５】
この補助部材を採用する場合、該補助部材を用いて前記埋設対象杭を予め定めた深度まで圧入埋設する工程が前記支持手段設置工程を兼ねる。
【００３６】
また、前記支持手段設置工程の実施に用いる前記「支持手段」は、前記杭回転圧入機により前記現地地盤に既に圧入埋設されている埋設対象杭の頭部であってもよい。この場合、該杭回転圧入機による該埋設対象杭の圧入埋設工程は前記支持手段設置工程を兼ねる。
【００３７】
なお、前記各工程の実施順序は杭回転圧入機を定規部材とともに方向転換できるのであれば任意である。例えば、前記定規部材の前記台枠への仮連結は該台枠を前記昇降枠側へ引き上げる前にさえ行なわれればよい。
【００３８】
本発明は前記第２の課題を解決するため、
台枠と、昇降駆動装置と、前記昇降駆動装置により前記台枠に対し昇降駆動可能な昇降枠と、前記昇降枠に搭載された回転駆動装置と、前記回転駆動装置により前記昇降枠に対し回転駆動可能な杭掴持機構を含み、前記台枠を杭埋設対象地盤上に設置される定規部材上に設置して、前記杭掴持機構に通して上下方向に建て込んだ埋設対象杭を前記杭掴持機構で掴持して該杭掴持機構を前記回転駆動装置で回しつつ前記昇降駆動装置による前記昇降枠の上下方向駆動により該杭を前記地盤に圧入できる杭回転圧入機を該杭回転圧入機が前記定規部材を介して現地盤である第１地盤上に設置された状態から予め定めた次の第２地盤上へ移動させて該第２地盤上に設置する杭回転圧入機再設置方法であって、
前記定規部材を介して前記第１地盤上に設置された前記杭回転圧入機を前記第２地盤上へ移動させるに先だって本発明に係る杭回転圧入機の方向転換方法により該杭回転圧入機を前記第２地盤への移動に適する方向へ方向転換させる第１の方向転換工程と、
前記第１方向転換工程により方向転換させられた前記杭回転圧入機から前記定規部材の仮連結を解く工程と、
前記定規部材に続けて前記第２地盤へ向けレール部材を設置する工程と、
前記レール部材に続けて前記第２地盤に第２の定規部材を設置する工程と、
前記回転圧入機を前記定規部材から前記レール部材に沿って前記第２地盤へ向け移動させる工程と、
前記回転圧入機を前記レール部材から前記第２の定規部材上へ移動させて該第２地盤上に置く工程を含む杭回転圧入機再設置方法を提供する。
【００３９】
本発明に係る杭回転圧入機再設置方法によると、第１地盤上に設置された杭回転圧入機を第２地盤上へ移動させるに先だって、本発明に係る杭回転圧入機の方向転換方法により、クレーン等の搬送機を要することなく、該杭回転圧入機を定規部材ごと、第２地盤への移動に適する方向へ簡単、容易に方向転換させることができ、さらに、そのように方向転換させられた杭回転圧入機を、仮連結を解かれた定規部材と、それに続けて前記第２地盤へ向け設置されたレール部材に沿って該第２地盤へ向け移動させることができる。さらに、該レール部材に続く該第２地盤上の第２の定規部材上に簡単に設置することができる。
【００４０】
本発明に係る杭回転圧入機再設置方法は、前記第１地盤上での杭回転圧入機の方向転換方法と同様の方法による、前記第２地盤上での、所望方向に向けての杭回転圧入機の方向転換をさらに含んでいてもよい。
【００４１】
本発明に係る杭回転圧入機再設置方法は様々な杭施工現場で採用できる。例えば、次の様な場合に都合よく採用できる。すなわち、
前記第１地盤と前記第２地盤の間に間隔をおいて隣り合う既設構造物があり、前記隣り合う前記既設構造物間の距離が、前記第１の方向転換工程前に前記第１地盤に設置された前記杭回転圧入機及び該杭回転圧入機に仮連結された前記定規部材を合わせたものの前記既設構造物の順次並び方向と同方向の長さより短く、該既設構造物の順次並び方向を横切る方向の長さより長い場合である。
【００４２】
このような場合、回転圧入機が定規部材ごと隣り合う既設構造物間を通過できるように回転圧入機を定規部材ごと例えば９０度方向転換させて容易に第２地盤上に移動設置できる。
【発明の効果】
【００４３】
以上説明したように本発明によると、台枠と、前記台枠に搭載された昇降駆動装置と、前記昇降駆動装置により前記台枠に対し昇降駆動可能な昇降枠と、前記昇降枠に搭載された回転駆動装置と、前記回転駆動装置により前記昇降枠に対し回転駆動可能な杭掴持機構を含み、前記台枠を杭埋設対象地盤上に設置される定規部材上に設置して、前記杭掴持機構に通して上下方向に建て込んだ埋設対象杭を前記杭掴持機構で掴持して該杭掴持機構を前記回転駆動装置で回しつつ前記昇降駆動装置による前記昇降枠の下降により該杭を前記地盤に圧入できる杭回転圧入機を該杭回転圧入機が前記定規部材を介して現地盤上に設置された状態から方向転換させる杭回転圧入機の方向転換方法であって、クレーン等の大型搬送機を必要とすることなく、杭回転圧入機を現地盤上で所望方向に、且つ、前記定規部材を利用して該所望方向にある地盤へ向け移動させ得るように、簡単に方向転換させることができる杭回転圧入機の方向転換方法を提供することができる。
【００４４】
また本発明によると、前記杭回転圧入機を前記現地盤である第１地盤上に設置された状態から予め定めた次の第２地盤上へ移動させて該第２地盤上に設置する杭回転圧入機再設置方法であって、該杭回転圧入機を前記第２地盤への移動に適する方向へ簡単に方向転換させて該第２地盤上に設置することができる杭回転圧入機再設置方法を提供することができる。
【図面の簡単な説明】
【００４５】
【図１】本発明に係る杭回転圧入機の方向転換方法実施のために支持柱の支持体を設置し、台枠と定規部材を連結し、支持柱を建て込む様子を杭回転圧入機正面側から見て示す図である。
【図２】支持体に支持柱を建て込んだ状態で昇降枠を上昇させる様子を示す図である。
【図３】支持柱を支えとして台枠及び定規部材を引き上げる様子を示す図である。
【図４】支持柱を支えとして杭回転圧入機全体を略９０度方向転換する様子を示す図である。
【図５】方向転換後に支持柱を支えとして台枠及び定規部材を地盤へ降ろす様子を示す図である。
【図６】支持柱等の撤去説明図である。
【図７】支持柱の支持体を示す図であり、図（Ａ）は支持体の平面図であり、図（Ｂ）は支持体の正面図である。
【図８】既設杭を支持柱の支持体とする例を示す図である。
【図９】杭回転圧入機再設置の例を示す図である。
【図１０】杭回転圧入機の支持手段の他の例を示す図である。
【図１１】杭回転圧入機の支持手段のさらに他の例を示す図である。
【図１２】杭回転圧入機を示す図であり、図（Ａ）は杭回転圧入機の正面図であり、図（Ｂ）は杭回転圧入機の側面図であり、図（Ｃ）は杭回転圧入機の平面図である。
【図１３】杭回転圧入機の方向転換が求められる例を示す図である。
【発明を実施するための形態】
【００４６】
以下、図面を参照して本発明に係る杭回転圧入機の方向転換方法及び杭回転圧入機再設置方法について説明する。以下の方法説明における杭回転圧入機１０は、図１２及び図１３を参照して説明した杭回転圧入機と同様のものであり、それ自体既に知られているものである。図１２、図１３の杭回転圧入機と同様の部品、部分には図１２、図１３と同じ参照符号を付してある。
【００４７】
（１）杭回転圧入機１０の方向転換方法
杭回転圧入機１０の方向転換にあたっては、図１に示すように、第１地盤１０１上に設置された杭回転圧入機１０の杭掴持機構５の下方の第１地盤部分に支持体７を設置する。昇降枠３は台枠１へ下降させておく。杭掴持機構５のチャック部５１は開けておく。また、定規部材６を連結具９で台枠１に連結する。
【００４８】
支持体７は後述する支持柱８を下方から支持して立設するためのものである。支持体７は、ここでは、図７に示すものである。図７（Ａ）は支持体７の平面図であり、図７（Ｂ）は支持体７の側面図である。
【００４９】
支持体７は板状部材７１と、板状部材７１の上面に垂直に立てた一対の柱嵌合部材７３と、板状部材７１を水平姿勢に保って第１地盤１０１上に設置するためのレべリング装置７２を含むものである。各柱嵌合部材７３は平面からみると半円状部材であり、一対の部材７３は平面から見て円形状輪郭を呈するように、やや間隙をあけて板状部材に立設されている。
【００５０】
定規部材６を台枠１へ連結する連結具９は、それとは限定されないが、本例では台枠１にボルト留めされるとともに定規部材６にボルト留めされる部材である。
【００５１】
また、図１に示すように、本例では円筒形の支持柱８をクレーンＫで吊って杭掴持機構５の開いたチャック部５１に通し、柱８の下端部を支持体７の柱嵌合部材７３に内嵌し、支持体７に立設する。このとき、柱下端部の突設部材８１を一対の柱嵌合部材７３の間隙７４に差し込む。
【００５２】
また、このように支持柱８が支持体７に立設された状態で鉛直姿勢に置かれるように、支持柱８の支持体７への建て込み前又は後に、レべリング装置７２で板状部材７１を水平姿勢に設定する。
このとき使用するクレーンＫは、支持柱８の建て込みを行なえる程度の小型のもので足りる。また、クレーンＫに代えて、支持柱建て込み可能な他の搬送機を用いてもよい。
【００５３】
次いで図２に示すように、昇降枠３を昇降駆動装置２で台枠１から上昇させ、その後、杭掴持機構５に支持柱８を掴持させる。この状態で、図３に示すように支持柱８を支えとして昇降駆動装置２で台枠１及び定規部材６を昇降枠３側へ引き上げる。
【００５４】
さらに、図４に示すように、杭掴持機構５で掴持された支持柱８を支えとして、回動駆動装置２で昇降枠３を掴持機構５に対し相対的に回動させ、それにより回転圧入機１０全体を定規部材６とともに所望方向へ方向転換する。その後、図５に示すように、支持柱８を支えとしたままで台枠１及び定規部材６を地盤上に下降させ、次いで、図６に示すように、杭掴持機構５による支持柱８の掴持を解き、クレーン等で支持柱８を回収撤去する。
【００５５】
さらに、必要に応じ、図６に示すように、昇降枠３を台枠１へ下降させることができ、また、支持体７や、台枠１と定規部材６の連結具９をとり外すことができる。
支持柱８の支持体については、支持体７に代えて他の支持体を採用してもよい。例えば、図８に示すように、杭回転圧入機１０で地盤に埋設した既設杭の頂部ＰＴと、これに支持柱８を接続する接続具ＣＮを含む支持体でもよい。
【００５６】
（２）杭回転圧入機１０の再設置方法
次に、図１に示すように第１地盤１０１上に設置された杭回転圧入機１０を予め定めた次の第２地盤１０２へ移動させて該第２地盤上に設置する杭回転圧入機再設置方法の例について図９を参照して説明する。
【００５７】
図９は、図１のように第１地盤１０１上に設置された杭回転圧入機１０を予め定めた第２地盤１０２上へ再設置する場合を示している。両地盤１０１、１０２上方には高架橋があり、両地盤１０１、１０２間には、高架橋を支える既設柱構造物ＳＴが順次隣り合って立設されている。
【００５８】
定規部材６も含めて回転圧入機１０は平面から見ると概ね四角形状輪郭を呈しており、定規部材６が延びている方向Ｘと同方向の長さα’（杭回転圧入機１０本体のＸ方向の長さαより若干長い長さ）が、定規部材６が延びている方向Ｘを横切る方向Ｙの長さβ（杭回転圧入機１０本体のＹ方向の長さと同じ）より長い。
【００５９】
図９に示すように既設構造物ＳＴ間の距離Ｌは、第１地盤１０１に設置された方向転換前の杭回転圧入機１０の該構造物の順次並び方向と同方向の長さ（図９におけるＸ方向の長さαやα’）より短く、該柱構造物の順次並び方向を横切る方向の長さβより長い。
【００６０】
そこで、杭回転圧入機１０を定規部材６ごと略９０度方向転換させて、第２地盤１０２上へ再設置できるようにする。
先ず、地盤１０１において図１から図６に示す方法で杭回転圧入機１０を方向転換する。
【００６１】
このように方向転換させた杭回転圧入機１０から連結具９による定規部材６の仮連結を解き、該定規部材６に続けて第２地盤１０２へ向けレール部材Ｒを、さらに該レール部材Ｒに続けて第２地盤１０２に第２の定規部材６０を設置する。
【００６２】
そして、回転圧入機１０を定規部材６からレール部材Ｒに沿って第２の定規部材６０上へ移動させて該第２地盤１０２上に置く。かくして、回転圧入機１０を簡単に地盤１０２に再設置でき、そこでの杭埋設工事、例えば耐震補強用柱構築のための基礎杭の埋設工事に供することができる。なお、第２定規部材６０は回転圧入機１０がレール部材Ｒ上へ移ったあと定規部材６を移動させて敷いたものでもよい。
【００６３】
或いは、必要に応じ、図９に実線で例示するように杭回転圧入機１０をさらに例えば略９０度方向転換させて、第２地盤１０２上に設置し、そこでの杭埋設工事、例えば耐震補強用柱構築のための基礎杭の埋設工事に供することもできる。
【００６４】
第２地盤１０２上で杭回転圧入機１０をさらに例えば略９０度方向転換させて、第２地盤１０２上に再設置し、そこでの杭埋設工事を可能とするにあたっては、第１地盤１０１上での方向転換の場合と同様の工程を実施すればよい。
【００６５】
以上説明した杭回転圧入機の方向転換方法等では、杭回転圧入機１０の方向転換のための杭回転圧入機の支持手段として、支持柱８とそれを支える支持体７等の支持体（図７、図８参照）を含むものを示した。
【００６６】
しかし杭回転圧入機の支持手段はこれらに限定されない。例えば図１０に示すように、
支持手段は、杭回転圧入機１０により現地地盤１００に圧入埋設されるべき杭Ｐを予め定めた深度まで圧入埋設するために杭Ｐの頭部に取り外し可能に継ぎ足される補助部材（杭施工現場で「ヤットコ」と通称されている部材）９０であってもよい。
【００６７】
図示例では、補助部材９０は杭Ｐの頭部に嵌め入れ可能な小径部を下端に連設した、杭Ｐと略同外径の筒部材である。小径部壁に形成した倒立Ｌ字状溝ｇに杭頭部内周面に形成した突起部ｆを嵌め入れ、回して溝奥に係合させた状態で、杭Ｐを予め定めた深度まで圧入埋設するために用いられる。
【００６８】
この補助部材９を採用する場合、補助部材９を用いて杭Ｐを予め定めた深度まで圧入埋設する工程が前記支持手段設置工程を兼ねることになる。
【００６９】
また、回転圧入機の支持手段は、例えば図１１に示すように既設杭Ｐの頭部Ｐｈでもよい。図１１に示す例では、杭回転圧入機はこれまで説明してきた杭回転圧入機１０とは少し異なっている。すなわち、杭回転圧入機１０において昇降枠３を昇降枠３０とし、この昇降枠３０の下方へ延びるアーム３０１で回転駆動装置４及び杭掴持機構５を支えている。
【００７０】
この杭回転圧入機の場合、図１１に示すように、台枠１に対して若干上昇させた昇降枠３０で支持されている杭掴持機構５に既設杭Ｐの頭部Ｐｈを掴持させ、その状態で杭頭部Ｐｈを支えとして台枠１を相対的に上昇させ、次いで回転駆動装置４で昇降枠３０及び台枠１を相対的に回すことで回転圧入機を方向転換させることができる。この場合、杭回転圧入機による杭Ｐの圧入埋設工程は前記支持手段設置工程を兼ねることになる。
【産業上の利用可能性】
【００７１】
本発明は、台枠と、昇降駆動装置と、昇降駆動装置により台枠に対し昇降可能な昇降枠と、昇降枠に搭載された回転駆動装置と、回転駆動装置により昇降枠に対し回転駆動可能な杭掴持機構を含む杭回転圧入機の簡単な方向転換方法及びこの方法を利用した杭回転圧入機再設置方法を提供することに利用できる。
【符号の説明】
【００７２】
１０  杭回転圧入機
１    台枠
１１  車輪
２    昇降駆動装置
２１  ピストンシリンダ装置
３、３０    昇降枠
３０１  昇降枠３０のアーム
４    回転駆動装置
４１  リングギア
４２  ピニオンギア
４３  モータ
５    杭掴持機構
５１  チャック部
５２  ピストンシリンダ装置
６、６０    定規部材
７  支持装置
７１  板状部材
７２  レべリング装置
７３  柱嵌合部材
８  支持柱
８１  突設部材
Ｐ  杭
ＰＴ  既設杭の頂部
ＣＮ  接続具
Ｐｈ  既設杭の頭部
９０  補助部材（ヤットコ）
ｇ  倒立Ｌ字状溝
ｆ  突起部
１００  現地盤
１０１  第１地盤
１０２  第２地盤
Ｒ  レール部材
【図１】
2014177798.tif 000003
【図２】
2014177798.tif 000004
【図３】
2014177798.tif 000005
【図４】
2014177798.tif 000006
【図５】
2014177798.tif 000007
【図６】
2014177798.tif 000008
【図７】
2014177798.tif 000009
【図８】
2014177798.tif 000010
【図９】
2014177798.tif 000011
【図１０】
2014177798.tif 000012
【図１１】
2014177798.tif 000013
【図１２】
2014177798.tif 000014
【図１３】
2014177798.tif 000015